(57)【要約】【課題】食器洗い機に専用洗剤以外の家庭用洗剤が誤って使用された場合でも、食器類を比較的短時間で洗浄すること。【解決手段】食器洗い機１は、洗浄ポンプ１２の作動状態を検出する作動状態検出手段１５と、洗浄ポンプ１２の作動状態に基づいて、洗浄工程中の泡による異常発生を検出する異常検出手段（２１，Ｓ４−４）と、泡による異常発生が検出されると、洗浄工程を中止し、かつ運転動作の最初の工程から運転動作を再度開始させる再始動手段（２１，Ｓ４−４）とを備える。【選択図】  図４
2004321391.tif 000002
【特許請求の範囲】
【請求項１】
洗浄ポンプにより洗浄水を食器に噴射する洗浄工程を少なくとも含む複数の工程からなる運転動作を実行する、食器洗い機において、
前記洗浄ポンプの作動状態を検出する作動状態検出手段と、
前記洗浄ポンプの作動状態に基づいて、前記洗浄工程中の泡による異常発生を検出する異常検出手段と、
前記泡による異常発生が検出されると、前記洗浄工程を中止し、かつ前記運転動作の最初の工程から前記運転動作を再度開始させる再始動手段とを備える、食器洗い機。
【請求項２】
洗浄ポンプにより洗浄水を食器に噴射する洗浄工程を少なくとも含む複数の工程からなる運転動作を実行する、食器洗い機において、
前記洗浄ポンプの作動状態を検出する作動状態検出手段と、
前記洗浄ポンプの作動状態に基づいて、前記洗浄工程中の泡による異常発生を検出する異常検出手段と、
前記泡による異常発生を使用者に告知する警告手段と
前記泡による異常が検出されると、前記洗浄工程を中止し、前記警告手段を予め定められた時間作動させた後、前記運転動作の最初の工程から前記処理を再度開始させる再始動手段とを備える、食器洗い機。
【請求項３】
前記異常検出手段は、前記洗浄ポンプの電流値変化量、前記洗浄ポンプの電流値、洗浄ポンプの回転数変化量、又は洗浄ポンプの回転数を予め定められた判定基準値と比較することにより、前記泡による異常を検出する、請求項１又は請求項２に記載の食器洗い機。
【請求項４】
前記運転動作を再度開始した回数である再始動回数を計数する計数手段をさらに備え、
前記作動状態検出手段は、前記再始動回数が増加するのに伴って、前記異常発生の検出が成立し易くなるように、前記判定基準値を変化させる、
請求項３に記載の食器洗い機。
【請求項５】
前記処理の最初の工程から前記運転動作を再度開始した回数である再始動回数を計数する計数手段と、
前記再始動回数が予め定められた値に達すると、前記運転動作を終了させる運転中止手段とをさらに備える、請求項１から請求項４のいずれか１項に記載の食器洗い機。
【発明の詳細な説明】
【０００１】
【発明の属する技術分野】
本発明は、食器洗い機に関する。特に、本発明は、誤って中性洗剤等の家庭用洗剤を使用した場合の食器洗い機の運転動作に関する。
【０００２】
【従来の技術】
食器洗い乾燥機に、専用洗剤ではない中性洗剤等の家庭用洗剤を使用すると、多量の泡が発生し、洗浄ポンプの運転に支障をきたす等の異常が生じる。従来、食器洗い機における泡に起因する異常の検出について、種々の提案がなされている（例えば、特許文献１から４参照）。
【０００３】
【特許文献１】
特開２００２−５１９６４号（図３）
【特許文献２】
特開平１０−１１７９９６号（図２）
【特許文献３】
特開２００１−３２７４５４号（図３）
【特許文献４】
特公平７−６７４３５号（図１）
【０００４】
この種の食器洗い乾燥機における一般的な運転動作について図１４を参照して説明すると、排水工程（ステップＳ１４−１）、給水工程（ステップＳ１４−２）、及び洗浄工程（ステップＳ１４−３）が順次実行される。洗浄工程が終了した後（ステップＳ１４−５）、冷水すすぎ工程（ステップＳ１４−６）、加熱すすぎ工程（ステップＳ１４−７）、及び乾燥工程（ステップＳ１４−８）が順次実行され、１回の運転動作が終了する。ステップＳ１４−４において家庭用洗剤の使用が検出されると、ステップＳ１４−９において異常処理工程が実行される。この異常処理工程では、操作パネルのＬＥＤ点灯等により使用者に対してエラー表示が行われる。また、ブザーを起動して音により使用者に対してエラー報知が行われる。さらに、すべての負荷部品の動作が停止される。
【０００５】
【発明が解決しようとする課題】
エラー表示やエラー報知により使用者が誤って家庭用洗剤を使用したことに気付き、予め設定された手順に従って専用洗剤を使用して再度運転動作を実行させれば、食器類を洗浄することができる。しかし、外出や他の家事等をしていて、使用者がエラー表示やエラー報知に気付かない場合、食器洗い乾燥機は洗浄工程を中止した状態のままとなる。従って、いざ食器類を使用しようとしても未洗浄状態ということになる。この時点で再度運転動作を実行させたのでは、最初に食器洗い乾燥機を始動してから最終的に洗浄及び乾燥が完了するまで、非常に長時間を要することになる。
【０００６】
そこで、本発明は、食器洗い機において、専用洗剤以外の家庭用洗剤が誤って使用された場合でも、食器類を比較的短時間で洗浄することを課題としている。
【０００７】
【課題を解決するための手段】
第１の発明は、洗浄ポンプにより洗浄水を食器に噴射する洗浄工程を少なくとも含む複数の工程からなる運転動作を実行する、食器洗い機において、前記洗浄ポンプの作動状態を検出する作動状態検出手段と、前記洗浄ポンプの作動状態に基づいて、前記洗浄工程中の泡による異常発生を検出する異常検出手段と、前記泡による異常発生が検出されると、前記洗浄工程を中止し、かつ前記運転動作の最初の工程から前記運転動作を再度開始させる再始動手段とを備える、食器洗い機を提供する。
【０００８】
第１の発明の食器洗い機では、異常検出手段により洗浄工程中に泡による異常発生が検出されると、再始動手段が洗浄工程を中止して最初の工程から運転動作を再度開始させる。従って、専用洗剤以外の家庭用洗剤が使用されて洗浄工程中に泡による異常が発生し、使用者が異常発生に気付かずに放置していたような場合でも、運転動作が最初の工程から繰り返されることで、比較的短時間に食器が洗浄される。
【０００９】
第２の発明は、洗浄ポンプにより洗浄水を食器に噴射する洗浄工程を少なくとも含む複数の工程からなる運転動作を実行する、食器洗い機において、前記洗浄ポンプの作動状態を検出する作動状態検出手段と、前記洗浄ポンプの作動状態に基づいて、前記洗浄工程中の泡による異常発生を検出する異常検出手段と、前記泡による異常発生を使用者に告知する警告手段と、前記泡による異常が検出されると、前記洗浄工程を中止し、前記警告手段を予め定められた時間作動させた後、前記運転動作の最初の工程から前記処理を再度開始させる再始動手段とを備える、食器洗い機を提供する。
【００１０】
第２の発明の食器洗い機では、異常検出手段により洗浄工程中に泡による異常発生が検出されると、警告手段が所定時間作動した後、再始動手段が洗浄工程を中止して最初の工程から運転動作を再度開始させる。従って、専用洗剤以外の家庭用洗剤が使用されて洗浄工程中に泡による異常が発生した場合、警告手段の発する警告に気付いた使用者が専用洗剤を使用して再度運転動作を実行させることも可能であり、かつ仮に使用者が警告に気付かずに放置した場合でも運転動作が最初の工程から繰り返されることで、比較的短時間で食器が洗浄される。
【００１１】
前記異常検出手段は、前記洗浄ポンプの電流値変化量、前記洗浄ポンプの電流値、洗浄ポンプの回転数変化量、又は洗浄ポンプの回転数を予め定められた判定基準値と比較することにより、泡による異常を検出する。
【００１２】
前記運転動作を再度開始した回数である再始動回数を計数する計数手段をさらに備え、前記作動状態検出手段は、前記再始動回数が増加するのに伴って、前記異常発生の検出が成立し易くなるように、前記判定基準値を変化させることが好ましい。
【００１３】
運転動作の再開を繰り返すと、誤って投入された家庭用洗剤の濃度が低下する。しかし、作動状態検出手段は、前記再始動回数が増加するのに伴って、前記異常発生の検出が成立し易くなるように判定基準値を変化させるので、初回の洗浄工程よりは低濃度であるが、洗浄工程を実行するには依然として適当でない濃度の家庭用洗剤を確実に検出することができる。
【００１４】
最初の工程から運転動作を何回も繰り返しても洗浄工程中に泡による異常が発生し続ける場合、運転動作の再開を無制限に繰り返すのは水や電気を浪費することになる。従って、前記処理の最初の工程から前記運転動作を再度開始した回数である再始動回数を計数する計数手段と、前記再始動回数が予め定められた値に達すると、前記運転動作を終了させる運転中止手段とをさらに備えることが好ましい。
【００１５】
【発明の実施の形態】
次に、本発明の実施形態を添付図面に従って説明する。
【００１６】
（第１実施形態）
図１から図３は、本発明の実施形態に係る食器洗い乾燥機１を示す。この食器洗い乾燥機１は、開閉扉２Ａ，２Ｂを備えるケーシング３の内部に洗浄槽４が形成されている。この洗浄槽４内には食器類（図示せず。）を配置するためのカゴ５が収容される。
【００１７】
洗浄槽４には、給水用電磁弁６が介設された給水管７の一端が接続され、この給水管７の他端は図示しない水道の蛇口や給湯器に接続されている。また、洗浄槽４の最下部に設けられた水溜用の凹部４ａには洗浄水、すすぎ水及び内部の空気を加熱するためのヒータ８と、水温ないしは湯温を測定するためのサーミスタ９が配設されている。さらに、洗浄槽４の下部と上部には、それら自体が噴射する水圧により回動する２つのノズル１０Ａ，１０Ｂが配設されている。
【００１８】
凹部４ａとノズル１０Ａ，１０Ｂは、それぞれ接続パイプ１１Ａ，１１Ｂを介して洗浄ポンプ１２に接続されている。この洗浄ポンプ１２はモータ１３Ａにより駆動される。また、この洗浄ポンプ駆動用のモータ１３Ａに流れる電流を検出する電流検出回路１５が設けられている。洗浄ポンプ１２の作動時には、洗浄槽４内の水が凹部４ａから接続パイプ１１Ａ、洗浄ポンプ１２、接続パイプ１１Ｂを経て、ノズル１０Ａ，１０Ｂより食器類に噴射され、凹部４ａに回収される。
【００１９】
凹部４ａには、モータ１３Ｂにより駆動される排水ポンプ１６が介設された排水管１７の一端が接続され、この排水管１７の他端は排水ホースを介して流しに連通している。
【００２０】
ケーシング３と洗浄槽４の間の空間には、洗浄槽４内に乾燥用の空気を送るためのファン１８と、そのファン１８の駆動用のモータ１３Ｃが配設されている。
【００２１】
ケーシング３と洗浄槽４の前側との間に形成された空間には、制御基板１９が配設されており、この制御基板１９にマイクロコンピュータ（以下、マイコンという。）２１を含む電子部品が実装されている。
【００２２】
ケーシング３の正面側には、図３に示す操作パネル２２が配設されている。この操作パネル２２には、電源入／切スイッチ２３及びスタート／一時停止スイッチ２４に加え、洗浄コースの選択等を行うための各種スイッチ２５と、液晶表示装置２６とが設けられている。また、ケーシング３の正面側にはブザー２７が内蔵されている。
【００２３】
マイコン２１は、種々の演算処理を行うための中央処理装置（ＣＰＵ）２１ａ、プログラム等を記憶したＲＯＭ２１ｂ、ＲＡＭ２１ｃ、及び同期及び計時のためのクロック回路２１ｄを備えている。ＣＰＵ２１ａは、操作パネル２２でユーザが設定した洗浄コースと、サーミスタ９及び電流検出回路１５を含むセンサ類からの入力とに基づいて、ＲＡＭ２１ｃ及びクロック回路２１ｄと協働して、前記各負荷部品を動作させる。マイクロコンピュータ２１は、電流検出回路１５と共に作動状態検出手段を構成し、ブザー２７と共に警報手段を構成する。また、マイクロコンピュータ２１は、異常検出手段、再始動手段、計数手段、及び運転中止手段を構成する。
【００２４】
次に、図４を参照して、この食器洗い乾燥機１の運転動作を説明する。
【００２５】
洗剤投入後にスタート／一時停止スイッチ２４がオンされると、ステップＳ４−１において、排水工程が実行される。この排水工程では、排水ポンプ１６が作動し、洗浄槽４内の水が排水管１７を介して排水される。続いて、ステップＳ４−２において、給水工程が実行される。この給水工程では、給水用電磁弁６が開弁し、給水管７を介して洗浄槽４内に所定量の水を給水する。さらに、ステップＳ４−３において、洗浄工程が実行される。この洗浄工程では、洗浄ポンプ１２が作動し、洗浄槽４内の水が凹部４ａから接続パイプ１１Ａ、洗浄ポンプ１２、接続パイプ１１Ｂを経て、ノズル１０Ａ，１０Ｂより食器類に噴射され、凹部４ａに回収される。ステップＳ４−５において洗浄工程が終了すると、ステップＳ４−６において冷水すすぎ工程が実行される。この冷水すすぎ工程では、洗浄工程で使用された洗剤を含む水を排水管１７から排水した後、新たに給水管７から供給された常温の水をノズル１０Ａ，１０Ｂから食器類に噴射する。続いて、ステップＳ４−７において、加熱すすぎ工程が実行される。この加熱すすぎ工程では、ヒータ８により所定温度に加熱された温水をノズル１０Ａ，１０Ｂから食器類に噴射する。最後に、ステップＳ４−８において乾燥工程が実行される。この乾燥工程では、ヒータ８を作動させて洗浄槽４内の空気を加熱し、ファン１８で加熱された空気を食器類に吹き付ける。
【００２６】
洗浄工程中のステップＳ４−４では、中性洗剤等の家庭用洗剤が使用されているか、換言すれば家庭用洗剤を使用したことで泡による異常が発生しているか否かが検出される。家庭用洗剤の使用が検出されない場合は、洗浄工程が続行される。一方、家庭用洗剤の使用が検出された場合は、洗浄工程が中止され、かつ運転動作の最初の工程である排水工程（ステップＳ４−１）から運転動作が再度開始される。従って、専用洗剤以外の家庭用洗剤が使用されて洗浄工程中に泡による異常が発生しても、運転動作が最初の工程から繰り返されることで、食器が洗浄される。
【００２７】
図５を参照して洗浄工程について詳細に説明する。まず、ステップＳ５−１において洗浄ポンプ１２が起動される。具体的には、モータ１３Ａに対して電力が供給され、洗浄ポンプ１２が駆動される。ステップＳ５−２において洗浄工程開始から第１の所定時間（本実施形態では１０秒）が経過すると、ステップＳ５−３において電流検出回路１５により洗浄ポンプ１２のモータ１３Ａの電流値（初期値α）が測定される。次に、ステップＳ５−４において前記第１の所定時間よりも長い第２の所定時間（本実施形態では５分）が経過すると、ステップＳ５−５において洗浄ポンプ１２のモータ１３Ａの電流値（値β）が測定される。続いて、ステップＳ５−６において、電流値の変化量δが算出される。具体的には、変化量δは初期値αから値βを減算した差として得られる。
【００２８】
図５においてステップＳ５−７からステップＳ５−１４は家庭用洗剤の使用を検出するための処理であり、図４のステップＳ４−４に対応している。ステップＳ５−７、Ｓ５−９、Ｓ５−１１、及びＳ５−１３では、今回の検出処理が何回目の検出処理であるか判断され、該当する場合にはステップＳ５−８、Ｓ５−１０、Ｓ５−１２、及びＳ５−１４において、家庭用洗剤の使用の有無（泡による異常発生の有無）が検出される。具体的には、これらのステップでは変化量δが対応する判定基準値Ａ１、Ａ２、Ａ３…Ａｎ−１、Ａｎ以上であれば、家庭用洗剤が使用されていると判断され、ステップＳ５−１６でカウンタｎの値を「１」だけ加算した後、図４のステップＳ４−１の排水工程に戻り運転動作が再度開始される。
【００２９】
カウンタｎの初期値は「１」であり、前述のようにステップＳ５−８、Ｓ５−１０、Ｓ５−１２、及びＳ５−１４において家庭用洗剤の使用が検出される度に、ステップＳ５−１６において「１」だけ加算される。従って、カウンタｎの値は最初に使用者がスタート／一時停止スイッチ２４をオンして運転動作が開始されてから、何回目の洗浄工程であるかを示す。換言すれば、カウンタｎの値は、何回目の家庭用洗剤の検出処理であるか示す。従って、ステップＳ５−７、Ｓ５−９、Ｓ５−１１、及びＳ５−１３では、カウンタｎの値により何回目の家庭用洗剤検出処理であるかが判断される。さらに、カウンタｎの値から「１」を減じた値が、家庭用洗剤の使用が検出されたことで運転動作が排水工程から再度開始された回数（再始動回数）となる。
【００３０】
図５では、判定基準値は（Ａ１＞Ａ２＞Ａ３＞…＞Ａｎ−１＞Ａｎ）なる関係を満たすように設定されている。換言すれば、再始動回数が増加するのに伴って判定基準値が小さくなり、再始動回数が増加する程、家庭用洗剤検出の判断が成立し易くなる。運転動作の再開が繰り返されると、洗浄槽４中の家庭用洗剤の濃度が低下する。しかし、このように再始動回数に応じて判定基準値Ａｎを設定することにより、初回の洗浄工程よりは低濃度となっているが、洗浄工程を実行するには依然として適当でない濃度の家庭用洗剤を確実に検出することができる。
ステップＳ５−７からステップＳ５−１４において家庭用洗剤使用が検出されなければ、ステップＳ５−１５において洗浄工程終了後、図４のステップＳ４−６以降の処理が実行される。
【００３１】
図６は、洗浄工程の第２の例である。図６において、ステップＳ６−１からステップＳ６−６、ステップＳ６−１５、及びステップＳ６−１６の処理は、図５のステップＳ５−１からステップＳ５−６、ステップＳ５−１５、及びステップＳ５−１６の処理と同一である。ステップＳ６−８、ステップＳ６−１０、ステップＳ６−１２、及びステップＳ６−１４に示すように、判定基準値は（Ａｎ＝Ａｎ−１×Ｙ：Ｙは０以上１未満の小数）なる関係を満たすように設定されている。換言すれば、再始動回数が増える毎に、判定基準値は前回の判定基準値の（Ｙ×１００）％となる。
【００３２】
図７は、洗浄工程の第３の例である。図７において、ステップＳ７−１からステップＳ７−６、ステップＳ７−１５、及びステップＳ７−１６の処理は、図５と同一である。ステップＳ７−８、ステップＳ７−１０、ステップＳ７−１２、及びステップＳ７−１４に示すように、判定基準値は（Ａｎ＝Ａｎ−１−Ｚ）なる関係を満たすように設定されている。換言すれば、再始動回数の増加に伴い、判定基準値は一定の値Ｚずつ減少する。
【００３３】
図８は、洗浄工程の第３の例である。まず、ステップＳ８−１において洗浄ポンプ１２が起動される。ステップＳ８−２において洗浄工程開始から所定時間（例えば５分）が経過すると、ステップＳ８−３において電流検出回路１５により洗浄ポンプ１２のモータ１３Ａの電流値（値γ）が測定される。
【００３４】
図８においてステップＳ８−４からステップＳ８−１１は家庭用洗剤の使用を検出するための処理である。ステップＳ８−４、ステップＳ８−６、ステップＳ８−８、及びステップＳ８−１０では、カウンタｎの値に基づいて今回の検出処理が何回目の検出処理であるか判断され、該当する場合にはステップＳ８−５、Ｓ８−７、Ｓ８−９、及びＳ８−１１において、家庭用洗剤の使用の有無（泡による異常発生の有無）が検出される。具体的には、これらのステップでは量γが対応する判定基準値Ａ１’、Ａ２’、Ａ３’…Ａｎ−１’、Ａｎ’以上であれば、家庭用洗剤が使用されていると判断され、ステップＳ８−１３でカウンタｎの値を加算した後、図４のステップＳ４−１に戻り運転動作が再度開始される。
【００３５】
図８において、判定基準値は（Ａ１’＞Ａ２’＞Ａ３’＞…＞Ａｎ−１’＞Ａｎ’）なる関係を満たすように設定され、再始動回数が増加する程、家庭用洗剤検出の判断が成立し易くなる。従って、初回の洗浄工程よりは低濃度となっているが、洗浄工程を実行するには依然として適当でない濃度の家庭用洗剤を確実に検出することができる。ステップＳ８−４からステップＳ８−１１において家庭用洗剤使用が検出されなければ、ステップＳ８−１２において洗浄工程終、図４のステップＳ４−６以降の処理が実行される。
【００３６】
図９は洗浄工程の第５の例であり、ステップＳ９−５、Ｓ９−７、Ｓ９−９、及びＳ９−１１のみが図８と異なる。具体的には、判定基準値は（Ａｎ’＝Ａｎ−１’×Ｙ’：Ｙは０以上１未満の小数）なる関係を満たすように設定されている。換言すれば、再始動回数が増える毎に、判定基準値は前回の判定基準値の（Ｙ’×１００）％となる。
【００３７】
図１０は洗浄工程の第６の例であり、ステップＳ１０−５、Ｓ１０−７、Ｓ１０−９、及びＳ１０−１１のみが図８と異なる。具体的には、判定基準値は（Ａｎ’＝Ａｎ−１’−Ｚ’）なる関係を満たすように設定され、再始動回数の増加に伴い、判定基準値は一定の値Ｚ’ずつ減少する。
【００３８】
以上のように、洗浄ポンプ１２の電流値の時間変化量と、ある時点での洗浄ポンプ１２の電流値のいずれに基づいて家庭用洗剤の使用を検出してもよい。また、電流検出回路１５に代えて洗浄ポンプ１２を駆動するモータ１３Ａの回転数を検出する回路を設け、洗浄ポンプ１２の回転数の時間変化量又はある時点での洗浄ポンプ１２の回転数に基づいて、家庭用洗剤の使用を検出してもよい。この場合、具体的処理は図５から図１０に示す洗浄ポンプの電流値を使用する場合と同様である。
【００３９】
（第２実施形態）
図１１は本発明の第２実施形態を示している。第２実施形態では、ステップＳ１１−１からステップＳ１１−８の処理は、第１実施形態（図４のステップＳ４−１からステップＳ４−８）と同一である。また、ステップＳ１１−４の家庭用洗剤使用の検出処理は、図５から図１０のいずれの処理であってもよく、洗浄ポンプ１２の回転数の時間変化量又はある時点での洗浄ポンプ１２の回転数を使用してもよい。
【００４０】
ステップＳ１１−４において家庭用洗剤の使用が検出されると、ステップＳ１１−９において異常処理工程が実行される。この異常処理工程では操作パネル２２の液晶表示装置２６に異常発生を表示したり、操作パネル２２が備えるＬＥＤを点灯することにより、使用者に対してエラー表示が行われる。また、ブザー２７が起動され、使用者に対して音によるエラー報知が行われる。さらに、負荷部品の動作が停止される。ステップＳ１１−１０において異常処理工程開始から所定時間（例えば５分）が経過すると、ステップＳ１１−１の排水工程に戻って運転動作が再度開始される。
【００４１】
第２実施形態では、洗浄工程中に家庭用洗剤使用が検出されると、異常処理工程が時間実行された後、洗浄工程を中止して運転動作を再度開始させる。従って、家庭用洗剤が使用されて洗浄工程中に泡による異常が発生した場合、液晶表示装置２６やＬＥＤのエラー表示や、ブザー２７の発生する警告音に気付いた使用者が専用洗剤を使用して再度運転動作を実行させることも可能であり、かつ仮に使用者が警告に気付かずに放置した場合でも、運転動作が最初の工程から繰り返されることで、比較的短時間で食器が洗浄される。
【００４２】
（第３実施形態）
図１２に示す第３実施形態では、ステップＳ１２−４において家庭用洗剤使用が検出されると、ステップＳ１２−９においてカウンタｎの値が予め定められた判定基準値ｎｔｈと比較される。カウンタｎの値が判定基準値ｎｔｈ以上の場合、運転動作の再開始を行わず、運転動作が終了される。一方、カウンタｎの値が判定基準値ｎｔｈ以上でない場合には、ステップＳ１２−１の排水工程から再度運転動作が開始される。
【００４３】
カウンタｎの値は、何回目の洗浄工程であるか、ないしは運転動作が何回再開されたかを示す。従って、ステップＳ−１２−９においてカウンタｎの値が判定基準値ｎｔｈに達すると運転動作を終了させることにより、運転動作を何回も繰り返しても洗浄工程中に泡による異常が発生し続ける場合に、運転動作の再開を無制限に繰り返して水や電気を浪費することがない。
【００４４】
第３実施形態のその他の構成及び作用は第１実施形態と同様である。
【００４５】
（第４実施形態）
図１３に示す本発明の第４実施形態では、ステップＳ１３−４において家庭用洗剤の使用が検出されると、ステップＳ１３−９において異常処理工程が実行される。ステップＳ１３−１０において異常処理工程開始から所定時間（本実施形態では５分）が経過すると、ステップＳ１３−１１においてカウンタｎの値が判定基準値ｎｔｈと比較される。カウンタｎの値が判定基準値ｎｔｈ以上の場合、運転動作の再開始を行わず、運転動作が終了される。一方、カウンタｎの値が判定基準値ｎｔｈ以上でない場合には、ステップＳ１３−１の排水工程から再度運転動作が開始される。
【００４６】
第４実施形態では、異常処理工程を所定時間行うので、使用者が専用洗剤を使用して再度運転動作を実行させることも可能である。また、カウンタｎの値が判定基準値ｎｔｈに達すると運転動作を終了するので、運転動作の再開を無制限に繰り返して水や電気を浪費することがない。
【００４７】
第４実施形態のその他の構成及び作用は第１実施形態と同様である。
【００４８】
【発明の効果】
以上の説明から明らかなように、第１の発明の食器洗い機では、異常検出手段により洗浄工程中に泡による異常発生が検出されると、再始動手段が洗浄工程を中止して最初の工程から運転動作を再度開始させるので、専用洗剤以外の家庭用洗剤が使用され、かつ使用者が食器洗い機を始動させた後に放置したような場合でも、食器が洗浄される。また、第２の発明の食器洗い機では、異常検出手段により洗浄工程中に泡による異常発生が検出されると、警告手段が所定時間作動した後、再始動手段が洗浄工程を中止して最初の工程から運転動作を再度開始させるので、専用洗剤以外の家庭用洗剤が使用された場合、警告に気付いた使用者が専用洗剤を使用して再度運転動作を実行させることも可能であり、かつ仮に使用者が警告に気付かずに放置した場合でも、食器が洗浄される。
【図面の簡単な説明】
【図１】本発明の第１実施形態に係る食器洗い乾燥機の外観を示す斜視図である。
【図２】本発明の第１実施形態に係る食器洗い乾燥機を示す縦断面図である。
【図３】操作パネルを示す正面図である。
【図４】本発明の第１実施形態に係る食器洗い乾燥機の動作を説明するためのフローチャートである。
【図５】洗浄モードの第１の例を示すフローチャートである。
【図６】洗浄モードの第２の例を示すフローチャートである。
【図７】洗浄モードの第３の例を示すフローチャートである。
【図８】洗浄モードの第４の例を示すフローチャートである。
【図９】洗浄モードの第５の例を示すフローチャートである。
【図１０】洗浄モードの第６の例を示すフローチャートである。
【図１１】本発明の第２実施形態係る食器洗い乾燥機の動作を説明するためのフローチャートである。
【図１２】本発明の第３実施形態係る食器洗い乾燥機の動作を説明するためのフローチャートである。
【図１３】本発明の第４実施形態係る食器洗い乾燥機の動作を説明するためのフローチャートである。
【図１４】従来の食器洗い乾燥機の動作を説明するためのフローチャートである。
【符号の説明】
１  食器洗い乾燥機
２Ａ，２Ｂ  開閉扉
３  ケーシング
４  洗浄槽
４ａ  凹部
５  カゴ
６  給水用電磁弁
７  給水管
８  ヒータ
９  サーミスタ
１０Ａ，１０Ｂ  ノズル
１１Ａ，１１Ｂ  接続パイプ
１２  洗浄ポンプ
１３Ａ，１３Ｂ  モータ
１５  電流検出回路（作動状態検出手段）
１６  排水ポンプ
１７  排水管
１８  ファン
１９  制御基板
２１  マイクロコンピュータ
２１ａ  ＣＰＵ
２１ｂ  ＲＯＭ
２１ｃ  ＲＡＭ
２１ｄ  クロック回路
２２  操作パネル
２３  電源入／切スイッチ
２４  スタート／一時停止スイッチ
２５  スイッチ
２６  液晶表示装置
２７  ブザー
【図１】
2004321391.tif 000003
【図２】
2004321391.tif 000004
【図３】
2004321391.tif 000005
【図４】
2004321391.tif 000006
【図５】
2004321391.tif 000007
【図６】
2004321391.tif 000008
【図７】
2004321391.tif 000009
【図８】
2004321391.tif 000010
【図９】
2004321391.tif 000011
【図１０】
2004321391.tif 000012
【図１１】
2004321391.tif 000013
【図１２】
2004321391.tif 000014
【図１３】
2004321391.tif 000015
【図１４】
2004321391.tif 000016